(57)【特許請求の範囲】
【請求項１】
接客部と、
紙幣を結束する紙幣結束部と、
前記紙幣結束部により結束される紙幣が集積される結束紙幣集積部と、
表裏状態が異なる同一金種の紙幣を集積する第１の紙幣集積部および第２の紙幣集積部と、
出金処理において、紙幣の搬送先が前記結束紙幣集積部である場合には前記第１の紙幣集積部のみから紙幣を繰出し、紙幣の搬送先が前記接客部である場合には前記第２の紙幣集積部から紙幣を繰り出すよう搬送部を制御する制御部と、
を備える、紙幣処理装置。
【請求項２】
前記紙幣処理装置は、紙幣の金種および表裏を判定する判定部をさらに備え、
前記制御部は、入金処理において、前記判定部により表裏が第１の状態であると判定された紙幣を前記第１の紙幣集積部に搬送し、表裏が第２の状態であると判定された紙幣を前記第２の紙幣集積部に搬送するよう制御する、請求項１に記載の紙幣処理装置。
【請求項３】
前記第１の紙幣集積部から繰り出されて前記結束紙幣集積部へ搬送される紙幣は、表面が上になった状態で前記紙幣結束部により結束される、請求項１または２に記載の紙幣処理装置。
【請求項４】
前記制御部は、出金処理において、前記第２の紙幣集積部からの前記接客部への出金紙幣枚数が不足する場合、前記第１の紙幣集積部から紙幣を繰り出すよう制御する、請求項１〜３のいずれか１項に記載の紙幣処理装置。
【請求項５】
前記紙幣結束部および前記結束紙幣集積部は、前記接客部、前記第１、第２の紙幣集積部よりも上方に設けられる、請求項１〜４のいずれか１項に記載の紙幣処理装置。
【発明の詳細な説明】
【技術分野】
【０００１】
本発明は、紙幣処理装置に関する。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば紙幣入出金機から入金された紙幣の種別を判別し、種別毎に集積した所定枚数（例えば１００枚）の紙幣を施封して紙幣小束を排出する機能を有する。ここで、施封する紙幣は表裏が揃っている必要があるが、紙幣入出金機から入金される紙幣は表裏が揃っていないことが一般的である。したがって、従来の施封小束支払機には、紙幣の表裏を反転させる表裏反転機構が設けられていた。
【０００４】
また、下記特許文献１では、施封用紙幣として紙幣を表向きで集積する際に、裏向きの紙幣は一時保留部へ搬送して排除し、表向きの紙幣のみを集積することで、紙幣の表裏を揃えている。
【先行技術文献】
【特許文献】
【０００５】
【特許文献１】ＷＯ２００９−１１８８３９号公報
【発明の概要】
【発明が解決しようとする課題】
【０００６】
しかしながら、上述した表裏反転機構を紙幣処理装置に実装すると、装置サイズが大きくなってしまい、表裏反転機構を実装した上で装置サイズを小さくしようとすると、現金容量（紙幣カセットの容量）が小さくなってしまうという問題があった。
【０００７】
また、表裏反転機構を有さない紙幣処理装置の場合、オペレータが予め紙幣カセットに表裏を揃えた紙幣を装填しなければならず、手間がかかっていた。また、上記特許文献１では、裏向き紙幣を排除してしまうため、紙幣処理装置に収納されている現金を有効利用することができなかった。
【０００８】
そこで、本発明は、上記問題に鑑みてなされたものであり、本発明の目的とするところは、装置の小型化を実現しつつ、表裏を揃えた施封紙幣を出金することが可能な、新規かつ改良された紙幣処理装置を提供することにある。
【課題を解決するための手段】
【０００９】
上記課題を解決するために、本発明のある観点によれば、接客部と、紙幣を結束する紙幣結束部と、前記紙幣結束部により結束される紙幣が集積される結束紙幣集積部と、表裏状態が異なる同一金種の紙幣を集積する第１の紙幣集積部および第２の紙幣集積部と、出金処理において、紙幣の搬送先が前記結束紙幣集積部である場合には前記第１の紙幣集積部のみから紙幣を繰出し、紙幣の搬送先が前記接客部である場合には前記第２の紙幣集積部から紙幣を繰り出すよう搬送部を制御する制御部と、を備える、紙幣処理装置が提供される。
【００１０】
また、前記紙幣処理装置は、紙幣の金種および表裏を判定する判定部をさらに備え、前記制御部は、入金処理において、前記判定部により表裏が第１の状態であると判定された紙幣を前記第１の紙幣集積部に搬送し、表裏が第２の状態であると判定された紙幣を前記第２の紙幣集積部に搬送するよう制御してもよい。
【００１１】
また、前記第１の紙幣集積部から繰り出されて前記結束紙幣集積部へ搬送される紙幣は、表面が上になった状態で前記紙幣結束部により結束されてもよい。
【００１２】
また、前記制御部は、出金処理において、前記第２の紙幣集積部からの前記接客部への出金紙幣枚数が不足する場合、前記第１の紙幣集積部から紙幣を繰り出すよう制御してもよい。
【００１３】
また、前記紙幣結束部および前記結束紙幣集積部は、前記接客部、前記第１、第２の紙幣集積部よりも上方に設けられてもよい。
【発明の効果】
【００１４】
以上説明したように本発明によれば、装置の小型化を実現しつつ、表裏を揃えた施封紙幣を出金することが可能である。
【図面の簡単な説明】
【００１５】
【図１】本発明の実施形態である現金処理装置の外観構成を示した説明図である。
【図２】本実施形態による現金処理装置の内部構成を示すブロック図である。
【図３】本実施形態による紙幣処理部の内部構成を示した説明図である。
【図４】第１の実施形態による入金取引の流れを説明する図である。
【図５】第１の実施形態による入金取引の流れを説明する図である。
【図６】第１の実施形態による入金取引の動作を示すフローチャートである。
【図７】第１の実施形態による出金取引の流れを説明する図である。
【図８】第１の実施形態による出金取引の動作を示すフローチャートである。
【図９】第２の実施形態による入金取引の動作を示すフローチャートである。
【図１０】第２の実施形態による出金取引の動作を示すフローチャートである。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
本発明は、以下本明細書において詳細に説明するような多様な形態で実施され得る。また、本実施形態による紙幣処理装置（現金処理装置１０）は、
Ａ．接客部（１）と、
Ｂ．紙幣を結束する紙幣結束部（施封部８）と、
Ｃ．前記紙幣結束部により結束される紙幣が集積される結束紙幣集積部（施封紙幣集積部７）と、
Ｄ．表裏状態が異なる同一金種の紙幣を集積する第１の紙幣集積部（紙幣カセット４）および第２の紙幣集積部（紙幣カセット４）と、
Ｅ．出金処理において、紙幣の搬送先が前記結束紙幣集積部である場合には前記第１の紙幣集積部から紙幣を繰出し、紙幣の搬送先が前記接客部である場合には前記第２の紙幣集積部から紙幣を繰り出すよう搬送部を制御する制御部（１７）と、
を有する。
【００１８】
このような現金処理装置１０について、まずは概要を説明する。
【００１９】
＜１．現金処理装置の概要＞
［１−１．現金処理装置の外観構成］
図１は、本発明の実施形態である現金処理装置１０の外観構成を示した説明図である。本実施形態による現金処理装置１０は、図１に示すように、装置正面右側に紙幣投入口１１ａおよび紙幣異物返却口１１ｂが設けられ、装置正面左側に硬貨投入口１２ａ、硬貨リジェクト口１２ｂ、硬貨返却口１２ｃ、釣銭出金口１２ｄ、および硬貨出金口１２ｅが設けられ、装置上側にカード挿入排出口１３ａ、印字部（レシートプリンタ）１４、表示部１６、および小束出金口（シャッタ９）が設けられている。
【００２０】
紙幣投入口１１ａは、入金取引における紙幣の投入口および出金取引における紙幣の受取口である。紙幣異物返却口１１ｂは、紙幣投入口１１ａに誤って投入された硬貨等の異物を返却する。
【００２１】
硬貨投入口１２ａは、入金取引における硬貨の投入口である。硬貨リジェクト口１２ｂは、硬貨投入口１２ａから投入された硬貨のうち、計数において硬貨鑑別部（不図示）により異常と認識された硬貨が返却される返却口である。硬貨返却口１２ｃは、計数済み硬貨の返却口である。釣銭出金口１２ｄは、計数された釣銭の受取口である。硬貨出金口１２ｅは、出金取引における出金硬貨の受取口である。
【００２２】
カード挿入排出口１３ａは、管理者等の操作者（オペレータ）のカードの挿入および排出を行う。
【００２３】
印字部（レシートプリンタ）１４は、取引明細等を印字したレシートの排出を行う。
【００２４】
表示部１６は、操作画面や取引内容を表示する。表示部１６は、例えばタッチパネルにより実現され、操作部１５（図２参照）としても機能する。また、図１に示すように、表示部１６の隣にはテンキーが設けられている。
【００２５】
小束出金口（シャッタ９）は、施封部８（図３参照）により施封された小束紙幣の排出を行う。
【００２６】
以上説明した現金処理装置１０は、例えば金融機関の営業店において接客用カウンタの後方に設置され、金銭に関する入金や出金等の各種処理を総合的に実行する。
【００２７】
［１−２．現金処理装置の内部構成］
次に、図２を参照して本実施形態による現金処理装置１０の内部構成について説明する。図２は、本実施形態による現金処理装置１０の内部構成を示すブロック図である。
【００２８】
図２に示すように、現金処理装置１０は、紙幣処理部１１、硬貨処理部１２、カードリーダ部１３、印字部１４、操作部１５、表示部１６、制御部１７、および記憶部１８を有する。
【００２９】
紙幣処理部１１は、紙幣投入口１１ａから投入される入金紙幣を鑑別、計数して紙幣収納部に収納する入金処理、および指定された金種、金額の紙幣を紙幣収納部から繰り出して鑑別、計数した後、紙幣投入口１１ａから出金する出金処理を行う。また、紙幣処理部１１は、施封部８（図３参照）を有し、施封部８により所定枚数の紙幣を施封して小束出金口（シャッタ９）から小束紙幣を出金する。また、紙幣処理部１１は、紙幣投入口１１ａに誤って投入された硬貨等の異物を紙幣異物返却口１１ｂから返却する。
【００３０】
硬貨処理部１２は、硬貨投入口１２ａから投入される入金硬貨を鑑別、計数して硬貨収納部に収納する入金処理、および指定された金種、金額の硬貨を硬貨収納部から繰り出して鑑別、計数した後、硬貨出金口１２ｅから出金する出金処理を行う。また、硬貨処理部１２は、上述した硬貨リジェクト口１２ｂ、硬貨返却口１２ｃ、および釣銭出金口１２ｄを有する。
【００３１】
カードリーダ部１３は、カード挿入排出口１３ａから挿入された管理者や操作者のカードからデータを読み取り、装置へのログインやオペレータ認識等を行う。また、カードリーダ部１３は、取引終了後にカード挿入排出口１３ａからカードを排出する。
【００３２】
印字部１４は、上述したように、取引終了後に取引内容を印字した明細票（レシート）を排出する。
【００３３】
操作部１５は、管理者や操作者の操作を検出する。例えば、操作部１５は、タッチパネルおよびテンキーにより実現される。
【００３４】
表示部１６は、上述したように、操作画面や取引内容を表示する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３５】
なお、図１においては表示部１６と操作部１５が一体的に構成される例（すなわちタッチパネルディスプレイ）を示しているが、表示部１６および操作部１５の機能は分離して構成されてもよい。
【００３６】
制御部１７は、記憶部１８に格納されている制御プログラムに基づいて現金処理装置１０の各構成を制御する。また、制御部１７は、記憶部１８に格納されている画面を表示部１６に表示して各種の取引を遂行する。また、本実施形態による制御部１７は、紙幣処理部１１の搬送路６ａ〜６ｎ（図３参照）を制御することにより、入金、集積、出金および紙幣移動などの基本動作を制御する。
【００３７】
記憶部１８は、取引時における入力データ等を記憶する他、現金処理装置１０の動作を制御するための制御プログラムが格納されている。また、取引選択画面、各取引における処理ステップ毎の案内画面、および入力画面等も記憶部１８に格納されている。
【００３８】
本発明の実施形態は、上述した現金処理装置１０の紙幣処理部１１で行われる入出金処理に関する。以下、本実施形態による紙幣処理部１１の構成を説明した後に、本発明の各実施形態による入出金処理について詳細に説明する。
【００３９】
＜２．紙幣処理部１１の構成＞
図３は、紙幣処理部１１の内部構成を示した説明図である。図３に示したように、紙幣処理部１１は、接客口１９を含む接客部１、鑑別部２、一時保留部３、紙幣カセット４ａ〜４ｄ、リジェクト庫５、搬送路６ａ〜６ｍ、施封紙幣集積部７（結束紙幣集積部）、施封部８（紙幣結束部）、およびシャッタ９（小束出金口）を備える。なお図３に示す紙幣処理部１１は側面図であって、右側が装置正面となっている。
【００４０】
接客部１は、入金取引時に操作者により紙幣投入口１１ａから接客口１９に投入された（入金された）紙幣を分離したり、出金取引時に操作者に出金する紙幣を集積したりするための構成である。
【００４１】
鑑別部２は、操作者の入金した紙幣、または操作者に出金する紙幣の鑑別を行う。具体的には、鑑別部２は、搬送路６を通って搬送された紙幣の金種、真偽、正損および走行状態などを鑑別する。
【００４２】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどに搬送され、入金した紙幣の口座計上などが確定し、取引が成立する。また、一時保留部３は、紙幣カセット４ａ〜４ｄ間の紙幣移動の際にも用いられる。
【００４３】
紙幣カセット４ａ〜４ｄは、操作者の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理部１１に対して着脱可能な構造になっており、個別に交換することで紙幣カセット４ａ〜４ｄに紙幣を装填することも可能である。
【００４４】
リジェクト庫５は、出金取引時または入金取引時に鑑別部２によって金種不明と鑑別された入金、支払不可の紙幣を集積する。
【００４５】
搬送路６ａ〜６ｎは、紙幣を搬送するための構成である。各搬送路６ａ〜６ｎは、制御部１７による制御に従ってＤＣサーボモータまたはパルスモータなどが回転することにより、紙幣を目的の搬送先に搬送することが可能である。
【００４６】
施封紙幣集積部７は、施封部８により施封される紙幣が集積される紙幣集積部である。施封紙幣集積部７は、施封する所定枚数（例えば１００枚）の紙幣を集積後、施封部８に紙幣を搬送する。
【００４７】
施封部８は、施封紙幣集積部７から搬送された所定枚数の紙幣をテープで結束（施封）し、結束した小束紙幣をシャッタ９から排出する。
【００４８】
シャッタ９は、施封部８により施封された小束紙幣を排出する小束出金口であって、施封部８により小束紙幣が排出される際に開き、操作者が小束紙幣を受け取ると閉じる。
【００４９】
上述した施封紙幣集積部７、施封部８、およびシャッタ９は、図３に示すように、紙幣処理部１１の上方、より具体的には、接客部１、鑑別部２、一時保留部３、紙幣カセット４ａ〜４ｄ、リジェクト庫５、および搬送路６ａ〜６ｍよりも上部に配置されている。このように、施封紙幣集積部７および施封部８を上部に設けることで、操作者は立ったまま小束を受け取ることができ、作業の利便性を向上させることができる。また、本実施形態では、図３に示すように、施封紙幣集積部７と施封部８を共に１つずつ設けることで、省スペース化を図ることができる。上記特許文献１（ＷＯ２００９−１１８８３９号公報）のように２つの施封紙幣集積部が設けられている場合、例えば一方に表紙幣、他方に裏紙幣を搬送して表裏を揃えることも可能であるが、本実施形態では省スペース化を実現するために施封紙幣集積部が１つであっても施封紙幣の表裏を揃えることができる。
【００５０】
なお図３には図示しないが、搬送路６ａ〜６ｎが搬送する紙幣や、各分離部（具体的には、接客部１、一時保留部３、紙幣カセット４ａ〜４ｄ、リジェクト庫５）から分離される紙幣の通過、到達は、搬送路６上や各分離部に設けられている光学センサの検知結果に基づいて制御部１７により判断される。また、目的の搬送先に搬送するために搬送路の分岐にはブレードが実装され、制御部１７は当該ブレードを切り替えることで紙幣を所定の搬送先へ搬送させる。
【００５１】
また、本実施形態による紙幣処理部１１は、紙幣の表裏を反転させるためだけの従来の表裏反転機構を有さないことで、装置サイズを小さくすることができる。
【００５２】
（基本動作）
入金取引においては、まず、接客部１から紙幣が１枚ずつ分離され、分離された紙幣は搬送路６ａを経て鑑別部２に搬送される。そして、鑑別部２による鑑別結果が正常であった紙幣は搬送路６ｃおよび６ｄを経て一時保留部３に集積される。一方、鑑別部２による鑑別結果が異常であった紙幣は搬送路６ｃおよび６ｅを経て接客部１に集積される。その後、操作者により入金金額の確認操作が行われると、集積処理に移行する。
【００５３】
集積処理においては、まず、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て金種に対応する紙幣カセット４ａ〜４ｄに集積される。一方、汚損券、折れ紙幣、二千円札、スキュー紙幣などの走行異常紙幣のように、鑑別部２による鑑別結果が異常であった紙幣は、搬送路６ｇおよび６ｌを経てリジェクト庫５に集積される。
【００５４】
紙幣移動においては、まず、紙幣カセット４ａ〜４ｄのうちの移動元の紙幣カセットから紙幣が分離され、分離された紙幣は搬送路６ｆ〜６ｋ、６ｂを経て鑑別部２に搬送される。そして、鑑別部２による鑑別結果が正常であった紙幣は搬送路６ｃおよび６ｄを経て一時保留部３に搬送される。一方、鑑別部２による鑑別結果が異常であった紙幣は、搬送路６ｃおよび６ｍを経てリジェクト庫５に集積される。
【００５５】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクト庫５に集積される。
【００５６】
通常の出金取引においては、まず、操作者により指定された金額に応じて紙幣カセット４ａ〜４ｄから紙幣が１枚ずつ分離され、分離された紙幣は搬送路６ｆ〜６ｋおよび６ｂを経て鑑別部２に搬送される。
【００５７】
そして、鑑別部２による鑑別結果が正常であった紙幣は、搬送路６ｃおよび６ｅを経て接客部１に集積される。一方、鑑別部２による鑑別結果が異常であった紙幣、すなわち、操作者に支払いできない紙幣は、搬送路６ｃおよび６ｍを経てリジェクト庫５に集積される。
【００５８】
小束紙幣の出金取引においては、まず、操作者により指定された金種および束数（または枚数）に応じて紙幣カセット４ａ〜４ｄから紙幣が１枚ずつ分離され、分離された紙幣は搬送路６ｆ〜６ｋおよび６ｂを経て鑑別部２に搬送される。
【００５９】
そして、鑑別部２による鑑別結果が正常であり、かつ表裏が所定の状態である紙幣は、搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００６０】
整理施封取引においては、まず、接客部１から紙幣が１枚ずつ分離され、分離された紙幣は搬送路６ａを経て鑑別部２に搬送される。そして、鑑別部２による鑑別結果が正常であり、指定された金種であって、かつ表裏が所定の状態である紙幣は搬送路６ｃおよび６ｎを経て施封紙幣集積部７に集積される。施封紙幣集積部７に所定枚数の紙幣が集積されると、施封部８に搬送され、施封部８において紙幣の施封が行われ、シャッタ９から排出される。
【００６１】
（紙幣施封の課題）
しかし、上記の小束出金取引および整理施封取引では、施封時に紙幣の表裏が揃っていることが必要であるため、操作者が予め紙幣カセット４に表裏を揃えた紙幣を装填したり、表裏を揃えて接客部１に紙幣を投入したりしなければならず、手間がかかっていた。
【００６２】
そこで、上記事情を一着眼点にして本発明の実施形態による現金処理装置１０を創作するに至った。本発明の実施形態による現金処理装置１０は、特殊な表裏反転機構を備えず、入金処理において予め表裏を揃えて紙幣を収納することにより、小束出金時に表裏を揃えた施封紙幣を出金することが可能である。以下、このような本発明の各実施形態について詳細に説明する。
【００６３】
＜３．本実施形態＞
［３−１．第１の実施形態］
まず、図４〜図６を参照して第１の実施形態による入金取引について説明する。
【００６４】
（３−１−１．入金取引）
図４および図５は、本実施形態による入金取引の流れを示した説明図である。図４に示したように、まず、接客部１に投入された紙幣を接客部１から分離し、分離された紙幣は搬送路６ａを経て鑑別部２へ搬送される。そして、制御部１７は、図４に示すように、鑑別部２による鑑別結果が正常であれば、搬送路６ｃおよび６ｄを経て一時保留部３へ搬送し、鑑別結果が異常であれば、搬送路６ｃおよび６ｅを経て接客部１へ搬送するよう制御する。異常紙幣は接客部１へ搬送することで操作者に返却する。
【００６５】
次いで、制御部１７は、図５に示すように、一時保留部３に搬送された紙幣を、一時保留部３から分離し、搬送路６ｄおよび６ｃを経て鑑別部２へ搬送する。そして、制御部１７は、鑑別部２による鑑別結果に従って、施封金種の裏券（裏の面が上になった紙幣）、表券（表の面が上になった紙幣）、および施封金種以外は金種別に、夫々異なる紙幣カセット４ａ〜４ｄへ搬送する。なお鑑別部２による鑑別結果が異常であった紙幣（リジェクト紙幣）は、図５に示すように搬送路６ｂ、６ｆ、６ｇ、および６ｌを経てリジェクト庫５へ搬送する。
【００６６】
このように、入金取引において施封金種の裏券と表券を別々の紙幣カセット４に搬送することで、束出金時に施封金種の裏券または表券のみを出金することが可能となる。また、施封金種は予め設定され得る。
【００６７】
（本実施形態による入金取引の動作フロー）
図６は、上述した本実施形態による入金取引の動作を示すフローチャートである。図６に示したように、まず、制御部１７は、操作者により接客部１に入金された紙幣を接客部１から分離し、鑑別部２を通過させる（Ｓ１００）。
【００６８】
次いで、鑑別部２による鑑別結果が正常であれば一時保留部３へ搬送し（Ｓ１０２）、異常であれば接客部１へ搬送して返却する。
【００６９】
そして、制御部１７は、一時保留部３から搬送路６ｄおよび６ｃを経て紙幣を鑑別部２へ搬送し、鑑別結果にしたがって、施封金種の裏券、表券、および施封金種以外は金種別に、夫々異なる紙幣カセット４へ搬送する（Ｓ１０４〜Ｓ１１８）。本実施形態では、施封金種が万券に設定されている場合について説明する。
【００７０】
制御部１７は、鑑別結果が万券の裏券であれば（Ｓ１０４において「Ｙｅｓ」）、当該紙幣を搬送路６ｂ、６ｆ、および６ｈを経て紙幣カセット４ａへ搬送し（Ｓ１０６）、また、万券の表券であれば（Ｓ１０８において「Ｙｅｓ」）、当該紙幣を搬送路６ｂ、６ｆ、６ｇ、および６ｉを経て紙幣カセット４ｂへ搬送する（Ｓ１１０）。
【００７１】
また、制御部１７は、鑑別結果が五千券であれば（Ｓ１１２において「Ｙｅｓ」）、当該紙幣を搬送路６ｂ、６ｆ、６ｇ、および６ｊを経て紙幣カセット４ｃへ搬送し（Ｓ１１４）、千券であれば搬送路６ｂ、６ｆ、６ｇ、および６ｋを経て紙幣カセット４ｄへ搬送する（Ｓ１１８）。
【００７２】
なお、制御部１７は、鑑別結果が異常の場合や、万券、五千券、千券以外の場合（Ｓ１１６において「Ｎｏ」）、当該紙幣を、搬送路６ｂ、６ｆ、６ｇ、および６ｌを経てリジェクト庫５へ搬送する。
【００７３】
以上、本実施形態による入金取引について説明した。本実施形態の入金取引では、施封金種（例えば万券）の裏券と表券を別々の紙幣カセット４（例えば紙幣カセット４ａ、４ｂ）に収納する。これにより、出金取引時には施封金種の裏券または表券のみを分離して施封紙幣集積部７へ搬送することが可能となる。
【００７４】
（３−１−２．出金取引）
続いて、本実施形態による出金取引について図７および図８を参照して具体的に説明する。図７は、本実施形態による出金取引の流れを示した説明図である。図７に示したように、まず、万券の束出金の場合、制御部１７は、紙幣カセット４ａから紙幣を分離し、分離した紙幣を搬送路６ｈ、６ｆ、および６ｂを経て鑑別部２へ搬送する。紙幣カセット４ａには、上述したように入金取引時において鑑別部２により施封金種かつ裏券と鑑別された紙幣のみが収納されている。鑑別部２により裏券と鑑別されているが、搬送路の構成上、紙幣カセット４ａに収納された紙幣は表紙幣（表の面が上になった紙幣）の状態で集積されている。したがって、紙幣カセット４ａから分離した紙幣は、鑑別部２により施封金種かつ表裏が裏の状態であると鑑別され、搬送路６ｃおよび６ｎを経て施封紙幣集積部７へ搬送される。なお、本実施形態では、搬送路６ｎから施封紙幣集積部７に集積する際に紙幣の表裏が逆になるため、鑑別部２により裏と鑑別された紙幣を施封紙幣集積部７に搬送することで、表紙幣の施封を実現することができる。
【００７５】
一方、万券のバラ出金の場合、制御部１７は、図７に示したように、紙幣カセット４ｂから紙幣を分離し、分離した紙幣を搬送路６ｉ、６ｇ、６ｆ、および６ｂを経て鑑別部２へ搬送する。紙幣カセット４ｂには、上述したように入金取引時において鑑別部２により施封金種かつ表券と鑑別された紙幣のみが集積されている。なお、鑑別部２により表券と鑑別されているが、搬送路の構成上、紙幣カセット４ｂに収納された紙幣は裏紙幣（裏の面が上になった紙幣）の状態で集積されている。ここで、バラ出金では紙幣の表裏を揃えて出金する必要はないが、紙幣カセット４ａには束出金用の紙幣（鑑別部２において裏状態と鑑別された裏紙幣）が収納されているため、制御部１７は、紙幣カセット４ｂに収納されている紙幣（鑑別部２において表状態と鑑別された表紙幣）を分離する。鑑別部２により正常かつ出金金種であると鑑別されると、搬送路６ｃおよび６ｅを経て接客部１へ搬送される。
【００７６】
また、束出金およびバラ出金いずれの場合も、鑑別部２による鑑別結果が異常である場合、当該紙幣は、搬送路６ｃおよび６ｍを経てリジェクト庫５へ搬送される。
【００７７】
このように、出金取引において束出金時には施封金種の裏券（鑑別部２において裏状態であると鑑別された紙幣）を収納する紙幣カセット４ａから紙幣を分離することで、特殊な表裏反転機構を用いずに施封紙幣集積部７に表裏を揃えた紙幣を集積することができる。
【００７８】
（本実施形態による出金取引の動作フロー）
図８は、上述した本実施形態による出金取引の動作を示すフローチャートである。図８に示すフローチャートでは、操作者が表示部１６に表示されたメニュー画面を操作して出金取引を選択した場合に行われる出金取引の処理が示される。
【００７９】
図８に示したように、まず、制御部１７は、操作者により入力された入力情報に基づいて、出金金額（または出金金種および枚数）を認識し、万券１００枚単位の出金（すなわち束出金）であるか否かを判断する。なお、ここでは束出金紙幣の所定枚数を１００枚とするが、本実施形態はこれに限定されない。
【００８０】
次いで、万券１００枚単位の出金の場合（Ｓ１３０において「Ｙｅｓ」）、制御部１７は、紙幣カセット４ａから紙幣を分離（出金）する（Ｓ１３２）。
【００８１】
続いて、制御部１７は、紙幣カセット４ａから分離した紙幣を、搬送路６ｈ、６ｆ、および６ｂを経て鑑別部２へ搬送し、鑑別部２の鑑別結果が正常、施封金種、かつ裏券であれば施封紙幣集積部７へ搬送する（Ｓ１３４）。上述したように、紙幣カセット４ａには、入金取引時において鑑別部２により施封金種かつ裏券と鑑別された紙幣のみが収納されているため、鑑別部２で異常と鑑別された場合を除いて、紙幣カセット４ａから出金した紙幣は全て施封紙幣として用いられ得る。
【００８２】
そして、施封紙幣集積部７に所定の枚数（ここでは１００枚）の紙幣が集積されると、施封紙幣集積部７は集積された紙幣を施封部８に束搬送し、施封部８により束紙幣に施封が行われる。施封部８は作成した小束紙幣を押し出す（排出する）ことでシャッタ９を開き、小束受取位置まで小束紙幣を移動させる（Ｓ１３６）。制御部１７は、操作者が小束紙幣を受取ると、シャッタ９を閉じる。
【００８３】
一方、万券１００枚単位の出金ではない場合（Ｓ１３０において「Ｎｏ」）、制御部１７は、紙幣カセット４ｂからバラ出金用の紙幣を分離（出金）する（Ｓ１３８）。ここで、万券１００枚単位の出金ではない場合とは、万券のバラ出金を意味し、五千券や千券のバラ出金の場合はそれぞれ対応する金種の紙幣カセット４ｃ、４ｄから紙幣を分離する。
【００８４】
そして、制御部１７は、紙幣カセット４ｂから分離した紙幣を、搬送路６ｉ、６ｇ、６ｆ、および６ｂを経て鑑別部２へ搬送し、鑑別部２の鑑別結果が正常、かつ出金金種であれば接客部１へ搬送してバラ出金を行う（Ｓ１４０）。
【００８５】
以上説明したように、本実施形態によれば、出金取引において、束出金の場合は裏紙幣のみが収納された紙幣カセット４ａから紙幣を分離することで、施封紙幣集積部７へ表裏を揃えた紙幣を搬送することができる。なお施封金種と同じ金種の紙幣をバラ出金する場合は、表紙幣のみが収納された紙幣カセット４ｂから優先的に紙幣を分離するが、バラ出金用の紙幣は表裏を揃える必要がないため、紙幣カセット４ｂが空になった場合は、紙幣カセット４ａから紙幣を分離してもよい。
【００８６】
［３−２．第２の実施形態］
上述した第１の実施形態では、施封金種が万券である場合の入金取引および出金取引の動作について説明したが、本実施形態はこれに限定されず、例えば施封金種が千券であってもよい。以下、施封金種が千券である場合について、第２の実施形態として図９および図１０を参照して説明する。
【００８７】
（３−２−１．入金取引）
図９は、第２の実施形態による入金取引の動作を示すフローチャートである。図９に示したように、まず、制御部１７は、操作者により接客部１に入金された紙幣を接客部１から分離し、鑑別部２を通過させる（Ｓ２００）。
【００８８】
次いで、鑑別部２による鑑別結果が正常であれば一時保留部３へ搬送し（Ｓ２０２）、異常であれば接客部１へ搬送して返却する。
【００８９】
そして、制御部１７は、一時保留部３から搬送路６ｄおよび６ｃを経て紙幣を鑑別部２へ搬送し、鑑別結果にしたがって、施封金種の裏券、表券、および施封金種以外は金種別に、夫々異なる紙幣カセット４へ搬送する（Ｓ２０４〜Ｓ２１８）。本実施形態では、施封金種が千券に設定されている場合について説明する。
【００９０】
制御部１７は、鑑別結果が千券の裏券であれば（Ｓ２０４において「Ｙｅｓ」）、当該紙幣を搬送路６ｂ、６ｆ、および６ｈを経て紙幣カセット４ａへ搬送し（Ｓ２０６）、また、千券の表券であれば（Ｓ２１６において「Ｙｅｓ」）、当該紙幣を搬送路６ｂ、６ｆ、６ｇ、および６ｋを経て紙幣カセット４ｄへ搬送する（Ｓ１１０）。
【００９１】
また、制御部１７は、鑑別結果が万券であれば（Ｓ２０８において「Ｙｅｓ」）、当該紙幣を搬送路６ｂ、６ｆ、６ｇ、および６ｉを経て紙幣カセット４ｂへ搬送し（Ｓ２１０）、五千券であれば搬送路６ｂ、６ｆ、６ｇ、および６ｊを経て紙幣カセット４ｃへ搬送する（Ｓ２１４）。
【００９２】
なお、制御部１７は、鑑別結果が異常の場合や、万券、五千券、千券以外の場合（Ｓ２１６において「Ｎｏ」）、当該紙幣を、搬送路６ｂ、６ｆ、６ｇ、および６ｌを経てリジェクト庫５へ搬送する。
【００９３】
以上、本実施形態による入金取引について説明した。本実施形態の入金取引では、施封金種（例えば千券）の裏券と表券を別々の紙幣カセット４（例えば紙幣カセット４ａ、４ｄ）に収納する。これにより、出金取引時には施封金種の裏券または表券のみを分離して施封紙幣集積部７へ搬送することが可能となる。
【００９４】
（３−２−２．出金取引）
続いて、本実施形態による出金取引について図１０を参照して説明する。図１０は、第２の実施形態による出金取引の動作を示すフローチャートである。図１０に示すフローチャートでは、操作者が表示部１６に表示されたメニュー画面を操作して出金取引を選択した場合に行われる出金取引の処理が示される。
【００９５】
図１０に示したように、まず、制御部１７は、操作者により入力された入力情報に基づいて、出金金額（または出金金種および枚数）を認識し、千券１００枚単位の出金（すなわち束出金）であるか否かを判断する。なお、ここでは束出金紙幣の所定枚数を１００枚とするが、本実施形態はこれに限定されない。
【００９６】
次いで、千券１００枚単位の出金の場合（Ｓ２３０において「Ｙｅｓ」）、制御部１７は、紙幣カセット４ａから紙幣を分離（出金）する（Ｓ２３２）。
【００９７】
続いて、制御部１７は、紙幣カセット４ａから分離した紙幣を、搬送路６ｈ、６ｆ、および６ｂを経て鑑別部２へ搬送し、鑑別部２の鑑別結果が正常、施封金種、かつ裏券であれば施封紙幣集積部７へ搬送する（Ｓ２３４）。上述したように、紙幣カセット４ａには、入金取引時において鑑別部２により施封金種かつ裏券と鑑別された紙幣のみが収納されているため、鑑別部２で異常と鑑別された場合を除いて、紙幣カセット４ａから出金した紙幣は全て施封紙幣として用いられ得る。
【００９８】
そして、施封紙幣集積部７に所定の枚数（ここでは１００枚）の紙幣が集積されると、施封紙幣集積部７は集積された紙幣を施封部８に束搬送し、施封部８により束紙幣に施封が行われる。施封部８は作成した小束紙幣を押し出す（排出する）ことでシャッタ９を開き、小束受取位置まで小束紙幣を移動させる（Ｓ１３６）。制御部１７は、操作者が小束紙幣を受取ると、シャッタ９を閉じる。
【００９９】
一方、千券１００枚単位の出金ではない場合（Ｓ２３０において「Ｎｏ」）、制御部１７は、紙幣カセット４ｄからバラ出金用の紙幣を分離（出金）する（Ｓ２３８）。ここで、千券１００枚単位の出金ではない場合とは、千券のバラ出金を意味し、万券や五千券のバラ出金の場合はそれぞれ対応する金種の紙幣カセット４ｂ、４ｃから紙幣を分離する。
【０１００】
そして、制御部１７は、紙幣カセット４ｄから分離した紙幣を、搬送路６ｋ、６ｇ、６ｆ、および６ｂを経て鑑別部２へ搬送し、鑑別部２の鑑別結果が正常、かつ出金金種であれば接客部１へ搬送してバラ出金を行う（Ｓ２４０）。
【０１０１】
以上説明したように、本実施形態によれば、出金取引において、束出金の場合は裏紙幣のみが収納された紙幣カセット４ａから紙幣を分離することで、施封紙幣集積部７へ表裏を揃えた紙幣を搬送することができる。なお第１の実施形態と同様に、バラ出金用の紙幣は表裏を揃える必要がないため、紙幣カセット４ｄが空になった場合は、紙幣カセット４ａから紙幣を分離してもよい。
【０１０２】
＜４．むすび＞
以上説明したように、本発明の実施形態によれば、特殊な表裏反転機構を備えなくとも、装置の小型化を実現しつつ、表裏を揃えた施封紙幣を出金することができる。
【０１０３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０４】
本発明の構成では、一時保留部３に搬送された紙幣を分離し鑑別部２で鑑別した際に、裏券と判断した紙幣を紙幣カセット４ａに集積すると、紙幣カセット内の紙幣状態は、表が上になった状態になる。紙幣カセット４ａから紙幣を分離して鑑別部２で鑑別した際は、裏券であると判断され、施封紙幣集積部７へ集積されると表が上になった状態となる。このような状態遷移は、本発明の搬送路の構成上のものであり、この状態遷移に限定されることはない。したがって、特定表裏の紙幣が集積された紙幣カセットから分離して施封紙幣集積部７へ搬送した結果、紙幣の表の面が上の状態となればよい。
【０１０５】
また、本明細書の現金処理装置１０の処理における各ステップは、必ずしもフローチャートとして記載された順序に沿って時系列に処理する必要はない。例えば、現金処理装置１０の処理における各ステップは、説明した順序と異なる順序で処理されても、並列的に処理されてもよい。
【０１０６】
また、現金処理装置１０に内蔵されるＣＰＵ、ＲＯＭおよびＲＡＭなどのハードウェアを、上述した現金処理装置１０の制御部１７と同等の機能を発揮させるためのコンピュータプログラムも作成可能である。また、該コンピュータプログラムを記憶させた記憶媒体も提供される。また、紙幣処理部１１、硬貨処理部１２に内蔵されるＣＰＵ、ＲＯＭおよびＲＡＭ等を実装している場合には、制御部１７と同様な機能を発揮させることもできる。
【符号の説明】
【０１０７】
１      接客部
２      鑑別部
３      一時保留部
４ａ〜４ｄ  紙幣カセット
５      リジェクト庫
６ａ〜６ｎ  搬送路
７    施封紙幣集積部
８    施封部
９    シャッタ（小束出金口）
１０    現金処理装置
１１    紙幣処理部
１１ａ    紙幣投入口
１１ｂ    紙幣異物返却部
１２    硬貨処理部
１３    カードリーダ部
１４    印字部
１５    操作部
１６    表示部
１７    制御部
１８    記憶部
１９    接客口
【図１】
0006413561.tif 000002
【図２】
0006413561.tif 000003
【図３】
0006413561.tif 000004
【図４】
0006413561.tif 000005
【図５】
0006413561.tif 000006
【図６】
0006413561.tif 000007
【図７】
0006413561.tif 000008
【図８】
0006413561.tif 000009
【図９】
0006413561.tif 000010
【図１０】
0006413561.tif 000011